(57)【要約】【課題】  コネクタが目視し難い位置であっても、おおよその位置で操作表示器をベース部にセットすれば、コネクタ嵌合を確実に行うことができ、コネクタや実装基板の破損も防止できる着脱器接続構造を得る。【解決手段】  各種データをカードに書き込み発行するベース部１と、ベース部１に対して着脱自在となりカードを発行するための各種データの入力、及びカードロック錠に対してデータ登録や施解錠履歴の読み込み操作を行うタッチキー１１と表示画面１３とが設けられる操作表示器３との着脱器接続構造であって、ベース部１と操作表示器３とがそれぞれに設けられ相互に嵌合する一対のコネクタ１７，１９を介して電気的に接続され、かつベース部１に設けられる一方のコネクタ１７が、このコネクタ１７が実装される基板２５とともに、嵌合の方向Ｚに直交する面方向ＸＹで移動自在に保持されている。【選択図】      図１
2005243439.tif 000002
【特許請求の範囲】
【請求項１】
入力された各種データをカードに書き込んでカードを発行するベース部と、該ベース部に対して着脱自在となりカードを発行するための前記各種データの入力、及びカードロック錠に対してデータ登録や施解錠履歴の読み込み操作を行うタッチキーと表示画面とが設けられる操作表示器との着脱器接続構造であって、
前記ベース部と前記操作表示器とがそれぞれに設けられ相互に嵌合する一対のコネクタを介して電気的に接続され、かつ前記ベース部又は前記操作表示器のいずれか一方に設けられる前記コネクタの一方のコネクタが、該一方のコネクタが実装される基板とともに、前記嵌合の方向に直交する面方向で移動自在に保持されることを特徴とする着脱器接続構造。
【請求項２】
前記ベース部又は前記操作表示器のいずれか一方に設けられ前記嵌合の方向に直交する面方向で移動自在に保持される前記コネクタの一方に対向する他方のコネクタの嵌合開口部周縁に、前記コネクタの互いの嵌合を案内するテーパ面が形成されたことを特徴とする請求項１記載の着脱器接続構造。
【請求項３】
前記コネクタを介して接続された前記ベース部と前記操作表示器とを位置決め固定する固定手段が、前記ベース部と前記操作表示器とに亘って設けられたことを特徴とする請求項１又は２記載の着脱器接続構造。
【発明の詳細な説明】
【技術分野】
【０００１】
本発明は、カード発行システムに用いられる着脱器接続構造に関し、特にコネクタやその実装基板の破損を防止する改良技術に関する。
【背景技術】
【０００２】
従来より、各種カードロックシステムがホテル等で使われている。例えば下記特許文献１に開示されるカードロックシステムは、客室の鍵として、メカニカルキーの代わりに磁気カードやＩＣカード等からなるカードキー（以下、単にカードと称する。）を利用することで、ドアの解錠／施錠等を制御する。すなわち、利用者がホテルのフロントにて客室利用の申込みをすると、受付の係員が客室番号等が記録されたカードを利用者に渡す。利用者は受け取ったカードを用いて客室のカードロック錠を開け、カードを持って入室し客室を利用する。
【０００３】
カードロックシステムには、カードを発行するためのカード発行システムが用いられる。カード発行システムは、カード発行制御器、カード発行器、操作表示器を備えて概略構成される。ところで、この種のカード発行システムには、カード発行制御器とカード発行器とをベース部として一体構成し、このベース部に対して操作表示器を着脱自在としたものがある。この着脱自在な操作表示器は、ベース部から分離することで、各客室扉に携行され、客室のカードロック錠に対してデータ登録や施解錠履歴の読み込み等を可能にしている。
【０００４】
一方、ベース部は、ホテルフロントに設置されたままとなる。そして、カードロックシステムでは、通信ケーブルにより上記した操作表示器がベース部へ接続され、操作表示器に設けられたタッチキーが操作されることにより、カードを発行するための各種データの入力が行われる。操作表示器から各種データが入力されると、この入力された各種データがベース部にてカードへ書き込まれ、カードが発行される。
【特許文献１】特開平８−２３２５１６号公報
【発明の開示】
【発明が解決しようとする課題】
【０００５】
しかしながら、上記した従来のカード発行システムに用いられるベース部と操作表示器とは、通信ケーブルにより相互が接続されていたため、例えばケーブル末端に設けられたコネクタを操作表示器本体のコネクタに嵌合しなければならず、ワンタッチでの着脱を行うことができなかった。また、通信ケーブルの露出は見栄えを低下させた。これに対してケーブル収納スペースを設ければ、装置が大型化した。
【０００６】
一方、ベース部と操作表示器との双方に相互に嵌合する一対のコネクタを設け、ベース部と操作表示器とをこのコネクタを介して直接接続する構成も考えられるが、一対のコネクタが目視し難い位置にあると、コネクタ嵌合が困難となる問題があった。そしてこのような状態でベース部に対して操作表示器を無理やり脱着すれば、コネクタや、その実装基板までもが破損する虞があった。
また、ベース部と操作表示器のセットと同時にコネクタ同士を嵌合させるのには、コネクタとベース部及び操作表示器との相対位置精度を高めなければならず、製造コストが増大した。さらに、このような高い相対位置精度でのコネクタ嵌合構造では、温度変化によって変形が生じると、位置精度が低下し、嵌合性の悪くなる問題があった。
【０００７】
本発明は上記状況に鑑みてなされたもので、コネクタが目視し難い位置であっても、おおよその位置で操作表示器をベース部にセットすれば、コネクタ嵌合を確実に行うことができ、コネクタや実装基板の破損も防止でき、しかも、高い寸法精度が必要なく、温度変化による位置精度の低下によっても、嵌合性の低下しない着脱器接続構造を得ることにある。
【課題を解決するための手段】
【０００８】
次に、上記の課題を解決するための手段を、実施の形態に対応する図面を参照して説明する。
本発明の請求項１記載の着脱器接続構造は、入力された各種データをカードに書き込んでカードを発行するベース部１と、該ベース部１に対して着脱自在となりカードを発行するための前記各種データの入力、及びカードロック錠に対してデータ登録や施解錠履歴の読み込み操作を行うタッチキー１１と表示画面１３とが設けられる操作表示器３との着脱器接続構造であって、
前記ベース部１と前記操作表示器３とがそれぞれに設けられ相互に嵌合する一対のコネクタ１７，１９を介して電気的に接続され、かつ前記ベース部１又は前記操作表示器３のいずれか一方に設けられる前記コネクタの一方のコネクタ１７が、該一方のコネクタ１７が実装される基板２５とともに、前記嵌合の方向Ｚに直交する面方向ＸＹで移動自在に保持されることを特徴とする。
【０００９】
この着脱器接続構造では、一対のコネクタ１７，１９が目視し難い位置であっても、おおよその位置で操作表示器３がベース部１にセットされると、移動自在な一方のコネクタ１７が基板２５とともにその面方向ＸＹに自ら変位し、これにより位置ずれが吸収されて、コネクタ嵌合が確実となる。そして、一方のコネクタ１７が自ら変位して、位置ずれが吸収されるので、位置ずれした状態での無理やりな嵌合が回避可能となる。また、おおよその位置で嵌合が可能となり、高い寸法精度が不要となる。
【００１０】
請求項２記載の着脱器接続構造は、前記ベース部１又は前記操作表示器３のいずれか一方に設けられ前記嵌合の方向Ｚに直交する面方向ＸＹで移動自在に保持される前記コネクタの一方のコネクタ１７に対向する他方のコネクタ１９の嵌合開口部周縁に、前記コネクタの互いの嵌合を案内するテーパ面２１が形成されたことを特徴とする。
【００１１】
この着脱器接続構造では、一対のコネクタ１７，１９の相対位置がずれている場合、一方のコネクタ１９のテーパ面２１に、相手コネクタ１７の嵌合開口部が当り、テーパ面２１からの反力によって、移動自在となったコネクタ１７が移動され、一対のコネクタ１７，１９の嵌合開口部同士が一致するように位置合わせされる。
【００１２】
請求項３記載の着脱器接続構造は、前記コネクタ１７，１９を介して接続された前記ベース部１と前記操作表示器３とを位置決め固定する固定手段３３，３５，３７が、前記ベース部１と前記操作表示器３とに亘って設けられたことを特徴とする。
【００１３】
この着脱器接続構造では、移動自在なコネクタ１７を介して接続されることにより、ベース部１と操作表示器３とに生じるガタツキが、固定手段３３，３５，３７によるベース部１と操作表示器３との固定によって阻止される。
【発明の効果】
【００１４】
本発明に係る請求項１記載の着脱器接続構造によれば、ベース部と操作表示器とがそれぞれに設けられた相互に嵌合する一対のコネクタを介して電気的に接続され、かつベース部又は操作表示器のいずれか一方に設けられた一方のコネクタが、このコネクタが実装される基板とともに嵌合の方向に直交する面方向で移動自在となっているので、一対のコネクタが目視し難い位置であっても、おおよその位置で操作表示器をベース部にセットすれば、移動自在となった一方のコネクタが基板とともに自ら変位して位置ずれを吸収し、コネクタ嵌合を確実に行うことができる。そして、一方のコネクタが基板とともに自ら変位して位置ずれを吸収するので、位置ずれした状態で無理やり結合力の加えられることがなく、コネクタや実装基板の破損を防止することができる。また、おおよその位置で嵌合されるため、高い寸法精度が必要なくなり、製造コストを低減することができるとともに、温度変化によって位置精度が低下しても、嵌合性を低下させることがない。
【００１５】
請求項２記載の着脱器接続構造によれば、前記一方のたコネクタに対向する他方のコネクタの嵌合開口部周縁に、相手コネクタである一方のコネクタの結合を案内するテーパ面を形成したので、一対のコネクタの相対位置がずれている状態でコネクタ同士が嵌合されても、コネクタの嵌合開口部周縁に形成されたテーパ面に、相手コネクタの嵌合開口部が当ると、テーパ面からの反力を受けて、移動自在となったコネクタが基板とともに嵌合の方向に直交する面方向で移動し、一対のコネクタの嵌合開口部同士が一致するように位置合わせされる。これにより、一対のコネクタ間に、より大きな位置ずれが生じている場合であっても、容易かつ確実なコネクタ嵌合を可能にすることができる。
【００１６】
請求項３記載の着脱器接続構造によれば、コネクタを介して接続されたベース部と操作表示器とを位置決め固定する固定手段を、ベース部と操作表示器とに亘って設けたので、操作表示器をベース部に装着して一体使用する際には、移動自在なコネクタを介して接続されることによるベース部と操作表示器とのガタツキを阻止することができる。
【発明を実施するための最良の形態】
【００１７】
以下、本発明に係る着脱器接続構造の好適な実施の形態を図面を参照して詳細に説明する。
図１は本発明に係る着脱器接続構造を備えたベース部及び操作表示器の分解平面図、図２はベース部に操作表示器をセットした状態の平面図、図３は図２のＡ−Ａ方向から見た分離状態のベース部及び操作表示器の断面図、図４は図３のＢ−Ｂ方向から見たホールド部の分解斜視図、図５は図４に示したホールド部の平面図である。
【００１８】
カード発行システム１００は、ホテルのフロントに設置されたままとなるベース部１と、このベース部１に対して着脱自在となった操作表示器３とから構成される。ベース部１は、カード発行制御器５と、カード発行器７とからなる。カード発行器７は、カード発行制御器５に接続される。カード発行器７は、手動スワイプ式のため、発行するカードをスライドさせるための長溝からなるスリット９が本体に形成されている。また、スワイプ式カード発行器７には、手動によりカードをスリット９内でスライドさせた際、カードの磁気面に接触して磁気情報の読み書きを行う図示しない磁気ヘッドが内蔵されている。
【００１９】
一方、操作表示器３は、ＣＰＵ，ＲＡＭ，ＲＯＭなどのメモリの他、テンキーやファンクションキーなどのタッチキーである各種入力キー１１及び情報を表示する表示画面１３を備えており、例えばチェックイン／アウトの日時、客室番号、顧客情報などの各種情報を入力する入力器として用いられる。この操作表示器３から入力された各種情報は、カード発行制御器５に伝送される。また、操作表示器３は、ベース部１から分離することで、各客室扉に携行され、客室のカードロック錠に対してデータ登録や施解錠履歴の読み込み等を可能にしている。
【００２０】
このカード発行システム１００では、ホテル従業員が、図２に示すように、ベース部１にセットされた操作表示器３を操作し、例えばチェックイン／アウトの日時、客室番号、顧客情報などの各種情報を設定入力した後、手動によりカードをスリット９内でスライドさせると、カードの磁気面に各種情報が書き込まれ、チェックイン時に客に手渡されるカード（磁気カード）が発行される。
【００２１】
カード発行制御器５の筺体５ａは、上面が平坦な載置面１５で形成され、この載置面１５には操作表示器３が載置されてセットされる。この載置面１５の略中央部には、コネクタ１７が設けられる。一方、図３に示すように、操作表示器３の背面には、このコネクタ１７と嵌合するコネクタ１９が設けられている。
コネクタ１９にはピン状の複数のオス端子１９ａが突出して設けられている。オス端子１９ａは、一対のコネクタ１７，１９が嵌合されると、コネクタ１７の所定のメス端子１７ａに接触する。これにより、操作表示器３とベース部１とは、電気的に接続されるようになっている。
【００２２】
本実施の形態では、操作表示器３に設けられるコネクタ１９は、その方形箱状のハウジング１９ｂが操作表示器３の筺体３ａに対して相対移動不能に固定されている。すなわち、筐体３ａ内に固定されるプリント配線基板２０に固定されている。また、コネクタ１９の嵌合開口部周縁の筺体３ａ背面には、コネクタ嵌合を案内するテーパ面２１が形成されている。
【００２３】
載置面１５には、コネクタ１７より大きい開口２３が形成される。載置面１５の裏面にはこの開口２３より大きい基板２５が設けられている。コネクタ１７は、この基板２５に実装されて、すなわち基板２５上に固定されて、開口２３から突出するように露出されている。なお、この基板２５は、プリント配線基板であり、カード発行制御器５の回路が構成されるものであっても良く、或いは、コネクタ１７部分の周囲のみを構成する基板とされてもよい。また、図４に示すように、載置面１５の裏面には開口２３を中心に、４つのＬ字形のスペーサ２７が、四方形の空間を包囲するように配置される。
【００２４】
図５に示すように、この四方形の空間は、基板２５より大きく形成される。また、スペーサ２７の厚みは、基板２５の厚みより若干厚く設定されている。４つのスペーサ２７のうち、隣接する２対のスペーサ２７同士には、押さえ板２９がビス等によって固定される。押さえ板２９は、スペーサ２７と共に載置面１５の裏面に固定されることで、四方形の空間の一部を覆うように配置される。このスペーサ２７と押さえ板２９とは、ホールド部３１を構成している。したがって、基板２５は、コネクタ嵌合の方向（図３のＺ方向）に直交する面方向（図５のＸＹ方向）でホールド部３１に移動自在に保持される。そして、基板２５は、基板２５とスペーサ２７とに形成される間隙寸法ｓで、移動自在、すなわち、載置面１５を水平面とすれば、その水平面に沿った縦横左右方向へ移動自在となっている。
【００２５】
また、図１に示すように、ベース部１の筺体５ａには少なくとも一対のネジ挿通板３３が設けられる。このネジ挿通板３３には図３に示すローレットネジ３５が挿通される。一方、操作表示器３の背面には、ネジ挿通板３３に挿通されたローレットネジ３５が螺合するメネジ３７が形成されている。ネジ挿通板３３，ローレットネジ３５，メネジ３７は、固定手段を構成している。このように、一対のコネクタ１７，１９を介して接続されたベース部１と操作表示器３とを固定する固定手段を、ベース部１と操作表示器３とに亘って設けたので、操作表示器３をベース部１に装着して一体使用する際には、移動自在なコネクタ１７を介して接続されることによるベース部１と操作表示器３とのガタツキを阻止することができる。
【００２６】
したがって、上記の着脱器接続構造によれば、ベース部１と操作表示器３とがそれぞれに設けられた相互に嵌合する一対のコネクタ１７，１９を介して電気的に接続され、かつベース部１又は操作表示器３のいずれか一方に設けられた一方のコネクタ１７が、嵌合の方向に直交する面方向で基板２５とともに移動自在となっているので、一対のコネクタ１７，１９が目視し難い位置であっても、おおよその位置で操作表示器３をベース部１にセットすれば、移動自在となった一方のコネクタ１７が基板２５とともに自ら変位して位置ずれを吸収し、コネクタ嵌合を確実に行うことができる。
【００２７】
そして、一方のコネクタ１７が基板２５とともに自ら変位して位置ずれを吸収するので、位置ずれした状態で無理やり結合力の加えられることがなく、コネクタ１７，１９や基板２５の破損を防止することができる。また、おおよその位置で嵌合されるため、高い寸法精度が必要なくなり、製造コストを低減することができるとともに、温度変化によって位置精度が低下しても、嵌合性を低下させることがない。
【００２８】
また、コネクタ１９の嵌合開口部周縁に、相手コネクタ１７の結合を案内するテーパ面２１を形成したので、一対のコネクタ１７，１９の相対位置がずれている状態でコネクタ同士が嵌合されても、テーパ面２１に相手コネクタ１７の嵌合開口部が当ると、テーパ面２１からの反力を受けて、基板２５とともに移動自在となったコネクタ１７が嵌合の方向に直交する面方向で移動し、一対のコネクタ１７，１９の嵌合開口部同士が一致するように位置合わせされる。これにより、一対のコネクタ１７，１９間に、より大きな位置ずれが生じている場合であっても、容易かつ確実なコネクタ嵌合を可能にすることができる。
【００２９】
なお、上記の実施の形態では、カードが磁気カードである場合を例に説明したが、カードはこの他ＩＣカード、或いは磁気カードにＩＣチップが実装されたものであっても勿論良い。
【００３０】
また、上記の実施の形態では、ベース部側のコネクタ１７が移動自在に設けられる場合を例に説明したが、本発明に係る着脱器接続構造は、これとは逆に、操作表示器３のコネクタ１９が移動自在な構造であってもよい。
【図面の簡単な説明】
【００３１】
【図１】本発明に係る着脱器接続構造を備えたベース部及び操作表示器の離脱状態の平面図である。
【図２】ベース部に操作表示器をセットした状態の平面図である。
【図３】図２のＡ−Ａ方向から見た分離状態のベース部及び操作表示器の断面図である。
【図４】図３のＢ−Ｂ方向から見たホールド部の分解斜視図である。
【図５】図４に示したホールド部の平面図である。
【符号の説明】
【００３２】
１…ベース部
３…操作表示器
１１…タッチキー（入力キー）
１７…一方のコネクタ
１９…他方のコネクタ
２１…テーパ面
２５…基板
３３…固定手段（ネジ挿通板）
３５…固定手段（ローレットネジ）
３７…固定手段（メネジ）
ＸＹ…嵌合の方向に直交する面方向
Ｚ…嵌合の方向
【図１】
2005243439.tif 000003
【図２】
2005243439.tif 000004
【図３】
2005243439.tif 000005
【図４】
2005243439.tif 000006
【図５】
2005243439.tif 000007